(57)【要約】【課題】電動歯ブラシの使用中に、誤って蓋を外すことを防止できる電動歯ブラシを提供すること。【解決手段】電動歯ブラシ１は、電池収容部１３において、電池３０を収容する電池ケース１３１と、電池ケース１３１に固定されたケース係合部１３４と、ハンドル１１の後端の開口に係合する略円筒形状の電池蓋１３５と、歯ブラシ本体１０の後端に係合する電池蓋１３５の長手方向に直交する面に形成された底部において回転可能に設けられた把持部１３６ａと、ケース係合部１３４と把持部１３６ａが所定角度だけ回転することにより係合する蓋爪部１３６ｂと、を有する把持部材１３６と、電池蓋１３５の外周壁に配置され、ハンドル１１の後端の開口に電池蓋１３５が係合したときに、ハンドル１１の内壁に接するオーリング１３９と、を備えた。【選択図】図２
2012165954.tif 000002
【特許請求の範囲】
【請求項１】
歯ブラシ本体と、前記歯ブラシ本体の長手方向における先端に着脱可能に取り付けられたブラシ部とを備える電動歯ブラシにおいて、
前記歯ブラシ本体は、前記先端とは反対側に位置する後端が開口した筒状のハンドルと、前記ハンドルに収容され、前記ブラシ部を回転運動させるモータ部と、電池を収容し前記モータ部に電流を供給する電池収容部と、を備え、
前記電池収容部は、
前記電池を収容する電池ケースと、
前記電池ケースに固定されたケース係合部と、
前記ハンドルの前記後端の開口に係合する略円筒形状の電池蓋と、
前記歯ブラシ本体の前記後端に係合する前記電池蓋の前記長手方向に直交する面に形成された底部において回転可能に設けられた把持部と、前記ケース係合部と前記把持部が所定角度だけ回転することにより係合する蓋爪部と、を有する把持部材と、
前記電池蓋の外周壁に配置され、前記ハンドルの前記後端の開口に前記電池蓋が係合したときに、前記ハンドルの内壁に接するオーリングと、を備えた電動歯ブラシ。
【請求項２】
前記モータ部及び前記電池収容部に接続されモータ部の動作を制御する基板を、更に、備え、
前記基板は、第１の期間であるブラッシング区間と第２の期間であるインターバル区間とのそれぞれの区間において、所定の強さの電流を所定のタイミングでモータ部に供給し、
前記ブラッシング区間における前記モータ部に供給する電流の強さがそれぞれ異なる複数のモードのいずれかで前記モータ部の動作を制御する請求項１に記載の電動歯ブラシ。
【請求項３】
前記モータ部は、
その先端に前記ブラシ部が取り付けられるシャフトと、
前記シャフトを駆動する駆動部と、
前記シャフトが前後方向において貫通し、前記駆動部を収容するモータカバーと、を備え、
前記シャフトは、その先端側に、軸方向と直交する方向に突出する過回転防止突起を有し、
前記モータカバーは、前記シャフトの前記過回転防止突起が形成された位置に、前記シャフトに外部から所定の角度以上に回転させる力が加わった場合に、前記過回転防止突起が当接する過回転防止爪を有する請求項１又は２に記載の電動歯ブラシ。
【発明の詳細な説明】
【技術分野】
【０００１】
本発明は、電動歯ブラシに関し、詳しくは、歯ブラシ本体と、歯ブラシ本体の長手方向における先端に着脱可能に取り付けられたブラシ部とを備える電動歯ブラシに関する。
【背景技術】
【０００２】
電動歯ブラシは、歯ブラシ本体に収容されたモータに電池から電流を供給しブラシ部を駆動する。この電動歯ブラシは、歯ブラシ本体に着脱自在の蓋を設け、この蓋を外すことで電池を交換し、再び蓋を閉めて使用する。
ところで、電動歯ブラシは、洗面所などの水場で使用される。このため、電動歯ブラシは、歯ブラシ本体に水が侵入しないように、蓋を着脱する部分に防水性が必要である。
【０００３】
そこで、特許文献１には、電池ケースカバーの防水シールリングの下に係止リングを設け、本体の側面に位置する係止リングの左面と右面にそれぞれ押圧部を設け、この押圧部の上端よりフックが延伸され、この係止リングのフックと本体内のフック孔とが係合する電動歯ブラシが記載されている。
この電動歯ブラシによれば、電池ケースカバーを取り外す時、係止リングの左面と右面に設けられた押圧部を押圧することにより、係止リングのフックと本体のフック孔との係合が解除され、電池ケースカバーを本体より引き離すことができる。
【先行技術文献】
【特許文献】
【０００４】
【特許文献１】実用新案登録第３０９５８５７号公報
【発明の概要】
【発明が解決しようとする課題】
【０００５】
しかしながら、特許文献１の電動歯ブラシは、電池ケースカバーを本体から取り外すための押圧部が本体の側面に位置する係止リングの左面と右面に設けられている。電動歯ブラシの使用者は、本体を握って歯を磨く必要があるため、電動歯ブラシの使用中に、この本体の側面に位置する押圧部を誤って押圧し、電池ケースカバーが外れる結果、本体の内部に水が侵入する場合がある。
【０００６】
本発明は、電動歯ブラシの使用中に、誤って蓋を外すことを防止できる電動歯ブラシを提供することを目的とする。
【課題を解決するための手段】
【０００７】
（１）  歯ブラシ本体と、前記歯ブラシ本体の長手方向における先端に着脱可能に取り付けられたブラシ部とを備える電動歯ブラシにおいて、前記歯ブラシ本体は、前記先端とは反対側に位置する後端が開口した筒状のハンドルと、前記ハンドルに収容され、前記ブラシ部を回転運動させるモータ部と、電池を収容し前記モータ部に電流を供給する電池収容部と、を備え、前記電池収容部は、前記電池を収容する電池ケースと、前記電池ケースに固定されたケース係合部と、前記ハンドルの前記後端の開口に係合する略円筒形状の電池蓋と、前記歯ブラシ本体の前記後端に係合する前記電池蓋の前記長手方向に直交する面に形成された底部において回転可能に設けられた把持部と、前記ケース係合部と前記把持部が所定角度だけ回転することにより係合する蓋爪部と、を有する把持部材と、前記電池蓋の外周壁に配置され、前記ハンドルの前記後端の開口に前記電池蓋が係合したときに、前記ハンドルの内壁に接するオーリングと、を備えた電動歯ブラシ。
【０００８】
（１）の発明によれば、電池収容部において、電池ケースは電池を収容し、ケース係合部は電池ケースに固定され、略円筒形状の電池蓋はハンドルの後端の開口に係合し、把持部材は、歯ブラシ本体の後端に係合する電池蓋の長手方向に直交する面に形成された底部において回転可能に設けられた把持部と、ケース係合部と把持部が所定角度だけ回転することにより係合する蓋爪部と、を有する。
これにより、電池を交換する等の理由により、電池蓋をハンドルの開口から離す場合は、歯ブラシ本体の底部の把持部を回転させる。これにより、回転した把持部に伴い蓋爪部も回転し、蓋爪部とケース係合部との係合が解除され、把持部を把持して電池蓋をハンドルの開口から引き抜くことで、電池蓋をハンドルの開口から離すことができる。
ここで、通常、電動歯ブラシの使用者は、ハンドルの側面を握って歯を磨く。よって、電動歯ブラシの使用者は、電動歯ブラシの使用中に、ハンドルの側面に触れることはあっても、ハンドルの底部に触れることはない。よって、電動歯ブラシの使用者が電動歯ブラシの使用中に、歯ブラシ本体の底部の把持部に触れることや、ましてや底部の把持部を回転させてしまうことはない。
したがって、電動歯ブラシの使用中に、誤って蓋を外すことを防止できる電動歯ブラシを提供できる。
【０００９】
（２）  前記モータ部及び前記電池収容部に接続されモータ部の動作を制御する基板を、更に、備え、前記基板は、第１の期間であるブラッシング区間と第２の期間であるインターバル区間とのそれぞれの区間において、所定の強さの電流を所定のタイミングでモータ部に供給し、前記ブラッシング区間における前記モータ部に供給する電流の強さがそれぞれ異なる複数のモードのいずれかで前記モータ部の動作を制御する（１）に記載の電動歯ブラシ。
【００１０】
（２）の発明によれば、基板は、第１の期間であるブラッシング区間と第２の期間であるインターバル区間とのそれぞれの区間において、所定の強さの電流を所定のタイミングでモータ部に供給する。これにより、ブラッシング区間とインターバル区間とでブラシ部を回転運動の強さを異ならせることができる。
よって、電動歯ブラシの使用者は、ブラシ部における回転運動の強さの変化により、ブラッシング区間からインターバル区間に移行したことを知ることができる。
また、基板は、ブラッシング区間におけるモータ部に供給する電流の強さがそれぞれ異なる複数のモードのいずれかでモータ部の動作を制御する。これにより、ブラッシング区間におけるブラシ部を回転運動の強さを異ならせることができる。
したがって、磨く歯の部位に応じた強さで歯磨きを行い、この歯磨きを終了するタイミングを知らせることで、適切な歯磨きを可能とする電動歯ブラシを提供できる。
【００１１】
（３）  前記モータ部は、その先端に前記ブラシ部が取り付けられるシャフトと、前記シャフトを駆動する駆動部と、前記シャフトが前後方向において貫通し、前記駆動部を収容するモータカバーと、を備え、前記シャフトは、その先端側に、軸方向と直交する方向に突出する過回転防止突起を有し、前記モータカバーは、前記シャフトの前記過回転防止突起が形成された位置に、前記シャフトに外部から所定の角度以上に回転させる力が加わった場合に、前記過回転防止突起が当接する過回転防止爪を有する（１）又は（２）に記載の電動歯ブラシ。
【００１２】
（３）の発明によれば、シャフトは、その先端側に、軸方向と直交する方向に突出する過回転防止突起を有し、モータカバーは、シャフトの過回転防止突起が形成された位置に、シャフトに外部から所定の角度以上に回転させる力が加わった場合に、過回転防止突起が当接する過回転防止爪を有する。
これにより、使用者の使用の仕方によって、シャフトに所定の角度以上に回転させる力が加わった場合に、シャフトの過回転防止突起がモータカバーの過回転防止爪に当接するので、シャフトが所定の角度以上に回転するのを防止できる。
したがって、シャフトに所定の角度以上に回転させる力が加わったことに起因して破損するのを防止できる電動歯ブラシを提供できる。
【発明の効果】
【００１３】
本発明によれば、電動歯ブラシの使用中に、誤って蓋を外すことを防止できる電動歯ブラシを提供できる。
【図面の簡単な説明】
【００１４】
【図１】本発明の一実施形態に係る電動歯ブラシの正面図である。
【図２】前記実施形態に係る歯ブラシ本体の分解斜視図である。
【図３】前記実施形態に係るモータ部の分解斜視図である。
【図４】前記実施形態に係るモータ部の上面図である。
【図５】図４におけるモータ部のＤＤ’断面を示す図である。（ａ）は、シャフトが左回りに回転した場合の図である。（ｂ）は、シャフトが右回りに回転した場合の図である。
【図６】図５に示したシャフトの動作を模式的に示した図である。（ａ）は、シャフトが回転していない状態を示す図である。（ｂ）は、シャフトが左回りに回転した場合の図である。（ｃ）は、シャフトが右回りに回転した場合の図である。
【図７】図１におけるＡＡ’断面を示す図である。
【図８】前記実施形態に係る電動歯ブラシのブロック図である。
【図９】前記実施形態に係る基板の制御を示すフローチャートである。
【図１０】前記実施形態に係る基板のモータ部に電流を供給するタイミングを説明する図である。
【発明を実施するための形態】
【００１５】
以下、本発明の実施形態を図面に基づいて説明する。
図１は、本発明の実施形態に係る電動歯ブラシ１を示す正面図である。
電動歯ブラシ１は、歯ブラシ本体１０と、歯ブラシ本体１０の長手方向における先端に着脱可能に取り付けられたブラシ部２０と、を備え、歯ブラシ本体１０によりブラシ部２０を往復回転運動をさせる。
図２は、歯ブラシ本体１０の分解斜視図である。
歯ブラシ本体１０は、電動歯ブラシ１のボディであり、後端（図２中Ｂ側）が開口した筒状のハンドル１１と、ハンドル１１に収容されるモータ部１２と、電池３０を収容しモータ部１２に電流を供給する電池収容部１３と、モータ部１２及び電池収容部１３に接続されモータ部１２の動作を制御する基板１４と、を備える。
【００１６】
図３は、モータ部１２の分解斜視図である。
モータ部１２は、モータカバー１２０と、モータカバー１２０を前後方向（図３中Ｆ，Ｂ方向）に貫通するシャフト１２１と、シャフト１２１を前後（図３中Ｆ，Ｂ）において支持するシャフト支持部１２２Ｆ，１２２Ｂと、シャフト１２１に埋め込まれた２つのマグネット１２４と、シャフト１２１においてマグネット１２４を挟むように取り付けられた２つのプレート１２５と、シャフト１２１のプレート１２５が取り付けられた部分を囲う様に配置されるステータ１２６と、ステータ１２６を保持するコイルベース１２７と、ステータ１２６を挟んでコイルベース１２７に取り付けられるコイルカバー１２８と、図３中の矢印Ｃ方向において、ステータ１２６、コイルベース１２７及びコイルカバー１２８とを一体として、これらに巻き回される巻線（図示無し）と、シャフト１２１の後端（図３中Ｂ側端部）に取り付けられる調整部１２９と、を備える。マグネット１２４、プレート１２５、ステータ１２６、コイルベース１２７、コイルカバー１２８及び巻線は、シャフト１２１を駆動する駆動部である。
【００１７】
モータカバー１２０は、その内部に、シャフト１２１のマグネット１２４及びプレート１２５が取り付けられた部分、ステータ１２６、コイルベース１２７、コイルカバー１２８、巻線（図示無し）及び調整部１２９を収容する。
シャフト１２１は、棒状体に形成され、その先端（図３中Ｆ側端部）にブラシ部２０（図２参照）が取り付けられ、その後端（図３中Ｂ側端部）にネジ山が形成され後述する調整部１２９のナット１２９ｂと螺合する。また、シャフト１２１には、その中間部分にマグネット１２４が埋め込まれる孔が、軸方向（図３中ＦＢ方向）に沿って２つ形成されている。
【００１８】
シャフト支持部１２２Ｆは、シャフト１２１の先端側（図３中Ｆ側）をベアリング１２３Ｆを介して、回転自在に支持する。シャフト支持部１２２Ｂは、シャフト１２１の後端側（図３中Ｂ側）をベアリング１２３Ｂを介して、回転自在に支持する。
【００１９】
２つのマグネット１２４は、永久磁石で形成され、シャフト１２１に軸方向（図３中ＦＢ方向）に沿って形成された２つの孔にそれぞれ埋め込まれている。
２つのプレート１２５は、平面視略矩形状の磁性体で形成され、シャフト１２１に埋め込まれた２つのマグネット１２４を軸方向（図３中ＦＢ方向）に直交する方向から挟み、シャフト１２１に取り付けられている。
【００２０】
ステータ１２６は、断面形状が略コの字状の磁性体で形成され、その内部にシャフト１２１のマグネット１２４及びプレート１２５が取り付けられた部分が配置される。
コイルベース１２７及びコイルカバー１２８は、ステータ１２６を互いに挟んで固定する。これにより、コイルベース１２７、コイルカバー１２８及びステータ１２６は、一体となって、巻線（図示無し）が巻き回されている。
巻線は、その両端部が基板１４に接続されている。
【００２１】
以上の構成により、巻線に電流が供給されると、この巻線及びステータ１２６に磁性が発生し、ステータ１２６の内部において、ステータ１２６とシャフト１２１に埋め込まれたマグネット１２４とが互いに反発又は吸引する。基板１４が巻線に供給する電流を流す方向を交互に替えることで、ステータ１２６とシャフト１２１のマグネット１２４が埋め込まれた部分とは互いに反発及び吸引を繰り返し、シャフト１２１が往復回転運動し、シャフト１２１の先端に取り付けられたブラシ部２０が往復回転運動する。
【００２２】
調整部１２９は、調整部１２９をシャフト支持部１２２Ｂに固定する調整部支持部１２９ａと、シャフト１２１の後端（図３中Ｂ側端部）に形成されたネジ山と螺合するナット１２９ｂと、シャフト１２１の後端が貫通し、シャフト支持部１２２Ｂとナット１２９ｂとの間に設けられる螺旋バネ１２９ｃと、を備える。調整部１２９は、螺旋バネ１２９ｃによりシャフト１２１をその回転方向に付勢することで、シャフト１２１の回転する力を調整する。
【００２３】
図４は、モータ部１２の上面図である。
図５は、図４におけるモータ部１２のＤＤ’断面を示す図である。（ａ）は、シャフト１２１が左回りに回転した場合の図である。（ｂ）は、シャフト１２１が右回りに回転した場合の図である。
シャフト１２１は、その先端側（図４中Ｆ側）に、軸方向（図４中ＦＢ方向）と直交する方向（図４中ＬＲ方向）に突出する過回転防止突起１２１Ｒ,１２１Ｌを有する。
過回転防止突起１２１Ｒは、シャフト１２１の軸心から右側（図４中Ｒ側）に突出し、過回転防止突起１２１Ｌは、シャフト１２１の軸心から左側（図４中Ｌ側）に突出する。
モータカバー１２０は、シャフト１２１の過回転防止突起１２１Ｒ,１２１Ｌが形成された位置に、シャフト１２１が所定の角度以上回転した場合に、過回転防止突起１２１Ｒ,１２１Ｌが当接する過回転防止爪１２０Ｒ,１２０Ｌを有する。
【００２４】
図６は、図５に示したシャフト１２１の動作を模式的に示した図である。（ａ）は、シャフト１２１が回転していない状態を示す図である。（ｂ）は、シャフト１２１が左回りに回転した場合の図である。（ｃ）は、シャフト１２１が右回りに回転した場合の図である。
図６（ａ）に示すように、シャフト１２１が回転していない状態では、過回転防止突起１２１Ｒと過回転防止爪１２０Ｒ、過回転防止突起１２１Ｌと過回転防止爪１２０Ｌは、いずれも当接していない。また、図６（ａ）に示す点線は、基板１４（図２参照）の制御によりシャフト１２１が右側又は左側に回転した状態を示す。このように、シャフト１２１は、基板１４（図２参照）の制御により回転している場合には、過回転防止突起１２１Ｒ及び過回転防止突起１２１Ｌが、過回転防止爪１２０Ｒ及び過回転防止爪１２０Ｌと当接することはない。
【００２５】
しかしながら、ブラシ部２０（図１参照）を介してシャフト１２１に所定の範囲以上に回転させる力が外部から加わった場合には、シャフト１２１は、さらに回転してしまう。図６（ｂ）及び（ｃ）は、このような場合のシャフト１２１の動作を示す図である。
図６（ｂ）に示すように、シャフト１２１は、左側に所定の範囲以上に回転させる力が外部から加わった場合、過回転防止突起１２１Ｌが過回転防止爪１２０Ｌと当接する。
図６（ｃ）に示すように、シャフト１２１は、右側に所定の範囲以上に回転させる力が外部から加わった場合、過回転防止突起１２１Ｒが過回転防止爪１２０Ｒと当接する。
このように、シャフト１２１に所定の範囲以上に回転させる力が外部から加わったとしても、過回転防止突起１２１Ｒが過回転防止爪１２０Ｒに又は過回転防止突起１２１Ｌが過回転防止爪１２０Ｌに当接し、所定の範囲以上にシャフト１２１が回転するのを防止できる。
【００２６】
図２に戻って、電池収容部１３について説明する。
電池収容部１３は、電池３０を２本収容する電池ケース１３１と、２本の電池３０の電極と基板１４とを接続する電池接点１３２と、２本の電池の電極を互いに接続する電池接点１３３と、電池ケース１３１に固定されたケース係合部１３４と、ハンドル１１の後端（図２中Ｂ側）の開口に係合する略円筒形状の電池蓋１３５と、歯ブラシ本体１０の後端（図２中Ｂ側）に係合する電池蓋１３５の長手方向（図２中ＦＢ方向）に直交する面に形成された底部において回転可能に設けられた把持部１３６ａと、把持部１３６ａの先端側（図２中Ｆ側）にスクリューネジ１３８によって固定され、ケース係合部１３４と把持部１３６ａが所定角度だけ回転することにより係合する蓋爪部１３６ｂと、を有する把持部材１３６と、電池蓋１３５の外周壁に配置され、ハンドル１１の後端の開口に電池蓋１３５が係合したときに、ハンドル１１の内壁に接することで、ハンドル１１の内部に水が侵入するのを防止する弾性体であるオーリング１３９と、を備える。
【００２７】
図７は、図１におけるＡＡ’断面を示す図である。
図７を用いて、ハンドル１１の開口に電池蓋１３５が係合した状態について説明する。
図７に示すように、ハンドル１１の開口に電池蓋１３５が係合した状態では、電池蓋１３５の外壁に設けられたオーリング１３９が、ハンドル１１の内壁に接した状態であり、ハンドル１１の内部に水が侵入することはない。
このとき、電池蓋１３５の把持部１３６ａに設けられた蓋爪部１３６ｂは、電池ケース１３１に固定されたケース係合部１３４と係合している。
そして、例えば、電池３０を交換する等の理由により、電池蓋１３５をハンドル１１の開口から離す場合は、把持部１３６ａを回転させる。これにより、回転した把持部１３６ａに伴い蓋爪部１３６ｂも回転し、蓋爪部１３６ｂとケース係合部１３４との係合が解除され、把持部１３６ａを把持して電池蓋１３５をハンドル１１の開口から引き抜くことで、電池蓋１３５をハンドル１１の開口から離すことができる。
【００２８】
図２に戻って、基板１４について説明する。
基板１４は、電池収容部１３に収容された電池３０より供給された電流を、その強さを調整し、所定のタイミングでモータ部１２に供給する。
図８は、電動歯ブラシ１のブロック図である。
電動歯ブラシ１は、基板１４に電池収容部１３及びモータ部１２が電気的に接続されている。
基板１４は、マイクロプロセッサ１４０と、共振器１４１と、スイッチ１４２と、を備え。マイクロプロセッサ１４０は、スイッチ１４２から送信される使用者の操作に応じた電源のオン及びオフや後述するモードの切り替え信号に応じて、共振器１４１により発生した２５０Ｈｚの周波数で、電池収容部１３から得た電流をモータ部１２に供給する。
【００２９】
図９は、基板１４の制御を示すフローチャートである。
基板１４は、所定の強さの電流を所定のタイミングで供給し、モータ部１２（図２参照）を駆動させ、ブラシ部２０を３０００ｒｐｍの回転数で往復回転運動させる。
基板１４は、スイッチ１４２より電源をオンにする信号を受信すると、ステップＳ１において、ブラッシング区間駆動制御を行う。この処理において、基板１４は、後述するモードに応じた強さの電流をモータ部１２に供給する。ステップＳ２では、３０秒経過したか否かを判断する。この処理において、基板１４は、３０秒経過したと判断した場合にはステップＳ３に処理を移す。ステップＳ３では、インターバル区間駆動制御を行う。この処理において、基板１４は、後述するモードに応じた強さの電流をモータ部１２に供給する。ステップＳ４では、３秒経過したか否かを判断する。この処理において、基板１４は、３秒経過したと判断した場合にはステップＳ１に処理を移す。また、基板１４は、スイッチ１４２より、電源をオフにする信号を受信すると、モータ部１２への電流の供給を停止する。
【００３０】
図１０は、基板１４のモータ部１２に電流を供給するタイミングを説明する図である。
図１０に示すように、基板１４は、３０秒間のブラッシング区間と３秒間のインターバル区間とのそれぞれの区間において、所定の強さの電流を所定のタイミングでモータ部１２に供給し、ブラッシング区間とインターバル区間とを交互に繰り返す。
また、基板１４は、モータ部１２に供給する電流の強さと供給するタイミングが異なる３つのモードを有する。このモードには、Ｈモード、Ｓモード、Ｍモードの３つのモードがあり、使用者のスイッチ１４２の操作に応じて切り替えることが可能である。基板１４（図８参照）は、スイッチ１４２から送信されたＨモード、Ｓモード又はＭモードのいずれかを示す信号に基づき、モータ部１２への電流の供給を制御する。
【００３１】
Ｈモードは、ブラッシング区間において所定の強さの電流（以降、Ｈモード電流と称する）を連続してモータ部１２に供給し、インターバル区間においてＨモード電流を０．１５秒、Ｈモード電流の略６０％の強さの電流（以降、Ｓモード電流と称する）を０．１秒、これらの電流を交互にモータ部１２に供給する。
Ｓモードは、ブラッシング区間においてＳモード電流を連続してモータ部１２に供給し、インターバル区間においてＨモード電流を０．１５秒、Ｓモード電流を０．１秒、これらの電流を交互にモータ部１２に供給する。
Ｍモードは、ブラッシング区間においてＨモード電流を０．１５秒、Ｓモード電流を０．２秒、これらの電流を交互にモータ部１２に供給し、インターバル区間においてＨモード電流を０．１５秒、Ｓモード電流を０．１秒、これらの電流を交互にモータ部１２に供給する。
【００３２】
上記実施形態によれば、電動歯ブラシ１は、以下の作用効果を奏する。
電池収容部１３において、電池ケース１３１は電池３０を収容し、ケース係合部１３４は電池ケース１３１に固定され、略円筒形状の電池蓋１３５はハンドル１１の後端の開口に係合し、把持部材１３６は、歯ブラシ本体１０の後端に係合する電池蓋１３５の長手方向に直交する面に形成された底部において回転可能に設けられた把持部１３６ａと、ケース係合部１３４と把持部１３６ａが所定角度だけ回転することにより係合する蓋爪部１３６ｂと、を有する。
これにより、電池３０を交換する等の理由により、電池蓋１３５をハンドル１１の開口から離す場合は、歯ブラシ本体１０の底部の把持部１３６ａを回転させる。これにより、回転した把持部１３６ａに伴い蓋爪部１３６ｂも回転し、蓋爪部１３６ｂとケース係合部１３４との係合が解除され、把持部１３６ａを把持して電池蓋１３５をハンドル１１の開口から引き抜くことで、電池蓋１３５をハンドル１１の開口から離すことができる。
ここで、通常、電動歯ブラシの使用者は、ハンドルの側面を握って歯を磨く。よって、電動歯ブラシの使用者は、電動歯ブラシの使用中に、ハンドルの側面に触れることはあっても、ハンドルの底部に触れることはない。よって、電動歯ブラシの使用者が電動歯ブラシの使用中に、歯ブラシ本体の底部の把持部に触れることや、ましてや底部の把持部を回転させてしまうことはない。
したがって、電動歯ブラシの使用中に、誤って蓋を外すことを防止できる電動歯ブラシを提供できる。
【００３３】
また、上記実施形態によれば、基板１４は、第１の期間であるブラッシング区間と第２の期間であるインターバル区間とのそれぞれの区間において、所定の強さの電流を所定のタイミングでモータ部１２に供給する。これにより、ブラッシング区間とインターバル区間とでブラシ部を回転運動の強さを異ならせることができる。
よって、電動歯ブラシ１の使用者は、ブラシ部２０を回転運動の強さの変化により、ブラッシング区間からインターバル区間に移行したことを知ることができる。
また、基板１４は、ブラッシング区間におけるモータ部１２に供給する電流の強さがそれぞれ異なる複数のモードのいずれかでモータ部１２の動作を制御する。これにより、ブラッシング区間におけるブラシ部を回転運動の強さを異ならせることができる。
したがって、磨く歯の部位に応じた強さで歯磨きを行い、この歯磨きを終了するタイミングを知らせることで、適切な歯磨きを可能とする電動歯ブラシを提供できる。
【００３４】
また、上記実施形態によれば、シャフト１２１は、その先端側に、軸方向と直交する方向に突出する過回転防止突起１２１Ｒ,１２１Ｌを有し、モータカバー１２０は、シャフト１２１の過回転防止突起１２１Ｒ,１２１Ｌが形成された位置に、シャフト１２１に外部から所定の角度以上に回転させる力が加わった場合に、過回転防止突起１２１Ｒ,１２１Ｌが当接する過回転防止爪１２０Ｒ,１２０Ｌを有する。
これにより、使用者の使用の仕方によって、シャフト１２１に所定の角度以上に回転させる力が加わった場合に、シャフト１２１の過回転防止突起１２１Ｒ,１２１Ｌがモータカバー１２０の過回転防止爪１２０Ｒ,１２０Ｌに当接するので、シャフト１２１が所定の角度以上に回転するのを防止できる。
したがって、シャフトに所定の角度以上に回転させる力が加わったことに起因して破損するのを防止する電動歯ブラシを提供できる。
【００３５】
なお、本発明は前記実施形態に限定されるものではなく、本発明の目的を達成できる範囲での変形、改良等は本発明に含まれるものである。
【符号の説明】
【００３６】
１      電動歯ブラシ
１０    歯ブラシ本体
１１    ハンドル
１３    電池収容部
１３１  電池ケース
１３４  ケース係合部
１３５  電池蓋
１３６  把持部
１３７  蓋爪部
１３９  オーリング
２０    ブラシ部
３０    電池
【図１】
2012165954.tif 000003
【図２】
2012165954.tif 000004
【図３】
2012165954.tif 000005
【図４】
2012165954.tif 000006
【図５】
2012165954.tif 000007
【図６】
2012165954.tif 000008
【図７】
2012165954.tif 000009
【図８】
2012165954.tif 000010
【図９】
2012165954.tif 000011
【図１０】
2012165954.tif 000012